(57)【特許請求の範囲】
【請求項１】
情報信号を記録できる情報層を含む積層薄膜層を備えた主情報領域と、前記情報信号とは種類の異なる副情報を記録する副情報領域とを基板の一主面方向に分割して備えた媒体であって、
前記主情報領域における前記情報信号を記録する情報層を、前記副情報領域を含むリードインエリアにも備え、
前記リードインエリア内の副情報領域の前記情報層に、前記主情報領域の前記情報層に前記情報信号を記録する光ビームの変調方式と異なる変調方式による記録で形成され、前記主情報領域の前記情報層に前記情報信号を記録する光ヘッドで光学的に前記媒体を識別する媒体識別情報を備え、
前記リードインエリアにおいて、前記副情報領域よりも外周の領域に、複数の暗号鍵を備え、
前記複数の暗号鍵の各々は、前記媒体識別情報と演算することにより、前記情報信号の暗号鍵を暗号化するための暗号鍵を生成するために用いられ、
前記情報信号の暗号鍵は、前記複数の暗号鍵から選択された暗号鍵と前記媒体識別情報とを演算して得られた暗号鍵によって暗号化されて前記主情報領域に記録されることを特徴とする光記録媒体。
【請求項２】
前記光ビームの異なる変調方式が、前記媒体識別情報の記録のために前記情報層に照射する光ビーム強度を、前記副情報領域に記録する前記副情報のコード化に応じ情報層に照射する光ビーム強度よりも低下させる変調方式である請求項１に記載の光記録媒体。
【請求項３】
媒体識別情報は、副情報領域に形成されたピット形成領域の前記情報層の一部に重ねて記録する請求項１または２に記載の光記録媒体。
【請求項４】
媒体識別情報は、副情報領域の情報層の形状を変化させることなく記録した請求項１〜３のいずれか一項に記載の光記録媒体。
【発明の詳細な説明】
【０００１】
【発明の属する技術分野】
本発明は、光記録媒体および光記録媒体に対して情報を記録する方法に関するものである。
【０００２】
【従来の技術】
近年、１枚の光記録媒体に記録できる情報量の増大と、光記録媒体に記録した情報のソフト流通や不正コピー防止技術が進展し、いわゆるセキュリティ技術として光記録媒体に対して個々の識別情報を記録することが要望されている。
【０００３】
この要望に対して、光記録媒体に対する識別情報としては、例えば再生専用型光記録媒体のピット部に、バーコードを重ね書きした追記領域（Burst Cutting Area、以下「ＢＣＡ」という）を設け、光記録媒体製造時にＢＣＡ領域に光記録媒体毎に異なる識別情報（ＩＤ）、必要に応じて暗号鍵や復号鍵を記録する技術が一般的に適用されている。
【０００４】
この再生専用光記録媒体のＢＣＡ領域に信号を記録する１例としては、図１４に示すような方法がある。すなわち、図１４（１）に示すように、ＩＤなど特定の識別情報に従って変調した変調信号に基づいて、レーザをＢＣＡのパターン形状に合わせパルス的に照射することで、図１４（２）に示すように光記録媒体の反射膜をストライプ状に一括破壊除去する。反射膜が破壊除去された部分と残された部分とで、図１４（３）に示すようにストライプ状のＢＣＡが光記録媒体上に形成される。このストライプ状のＢＣＡパターンを光学的情報記録再生装置の光ヘッドで再生すると、ＢＣＡ部では反射膜が消失しているため図１４（４）に示すように変調信号は間欠的に欠落した波形となる。この波形の欠落部分を図１４（５）に示すようにフィルター処理をかけ図１４（６)の用にディジタル再生データを検出することにより、光記録媒体上に記録されている識別情報を得ることができる。この識別情報を読み取ることにより、光記録媒体個々を特定することが可能となる。
【０００５】
一方、情報信号を記録できる情報層を備えた記録型光情報記録媒体、、または情報信号を自由に書き換えできる情報層を備えた書換型光情報記録媒体も開発され、多様性を増している。この記録型光情報記録媒体及び書換型光情報記録媒体（以下記録型及び書換型も含め「光ディスク」という）では、情報が自由に記録できるため、光ディスクに記録された情報に対するセキュリティに対する取扱は益々重要視されている。
【０００６】
【発明が解決しようとする課題】
しかしながら、再生専用型光記録媒体における反射層を破壊除去するＢＣＡパターン形成方法を光ディスクに適用しようとすると、次に示すような課題が発生する。
【０００７】
先ず、色素、磁性材料または相変化型記録材料の何れかの光活性材料を含有する情報層では情報層自体の光学的変化で情報の有無を検知するため、仮に反射層を備えた光ディスクの構成であっても反射層のみを消失させたＢＣＡパターンでは光学的な差は殆ど検出できない。従って、光ディスクに情報信号を記録できる情報層自体を光学的に検知し得る変化を生起する必要がある。
【０００８】
次に、再生専用型光記録媒体でのＢＣＡパターン形成方法に倣って、ＢＣＡパターン形状に合わせたレーザをパルス的に照射し、光ディスクの情報層を破壊除去する方法を採用しようとしても、エンハンス層、硬質層、中間層、誘電体層等の積層膜が少なくとも情報層の片面側に形成されているため、光学活性材料を含む情報層だけを選択的に破壊除去することができず、ＢＣＡパターンの境界部近傍の情報層及び／または積層膜の剥離や、ＢＣＡパターンの内部に情報層及び／または積層膜の飛沫が発生し、ＢＣＡパターン部の形成に歪みが生じ、ＢＣＡを検知する信号にノイズが混入し充分なＢＣＡ信号が得られない課題がある。
【０００９】
また、ＢＣＡパターン近傍の情報層及び／または積層膜の剥離に起因する欠陥は、副情報領域に留まらず主情報領域の情報層及び／または積層膜にまで及び、記録型光記録媒体にとっては致命的な課題が発生する。
【００１０】
特に、相変化型光ディスクでは、情報信号に応じてパルス変調した光ビームを情報層に照射し、情報層を溶融させた後に冷却させ記録マークを形成することで情報を記録している。このように情報層に溶融が伴うため、溶融状態の情報層の光学活性材料が脈動あるいは流動することにより記録特性に変化を来す現象を抑制する目的で、情報層を構成する材料よりも熱機械特性に優れる一般に誘電体と称される材料を情報層に接して備える構成が採用されている。さらに、相状態が可逆的に変化する書換型光ディスクでは、情報層を誘電体で挟持する構成が採られている。
【００１１】
この情報層の光学活性材料の溶融時の脈動及び／または流動等の現象を抑制する作用を有する積層膜は、ＢＣＡパターン形成に際してはＢＣＡパターン形成を阻止する働きとなり、ＢＣＡパターンを形成するため無理矢理高エネルギーを照射すると、光学活性材料の沸騰または蒸発等の衝撃を吸収する場所が無く、積層膜及び／または情報層の剥離、ＢＣＡパターン内部及び周辺部に気泡、陥没、情報層及び／または積層膜材料の飛沫が生起し、副情報領域のみならず主情報領域の情報層にまで欠陥が蔓延し、記録不可能となる致命的な欠陥の発生要因が増加する。
【００１２】
このように、少なくとも記録可能型光ディスクに、正確に検知し得るＢＣＡパターンを記録することは困難であり、光ディスクの製造コストが上がる原因の主な要因にＢＣＡパターンの形成に伴う問題点が挙げられる。
【００１３】
本発明は、記録型光ディスクに対して、安定的にＢＣＡを記録する方法及びＢＣＡパターンを形成した光ディスクの提供を目的とする。
【００１４】
【課題を解決するための手段】
上記の目的を達成するために、本発明の光記録媒体は、情報信号を記録できる情報層を含む積層薄膜層を備えた主情報領域と、前記情報信号とは種類の異なる副情報を記録する副情報領域とを基板の一主面方向に分割して備えた媒体であって、前記主情報領域における前記情報信号を記録する情報層を、前記副情報領域を含むリードインエリアにも備え、前記リードインエリア内の副情報領域の前記情報層に、前記主情報領域の前記情報層に前記情報信号を記録する光ヘッドで光学的に前記媒体を識別する媒体識別情報を備え、前記リードインエリアにおいて、前記副情報領域よりも外周の領域に、複数の暗号鍵を備え、前記複数の暗号鍵の各々は、前記媒体識別情報と演算することにより、前記情報信号の暗号鍵を暗号化するための暗号鍵を生成するために用いられ、前記情報信号の暗号鍵は、前記複数の暗号鍵から選択された暗号鍵と前記媒体識別情報とを演算して得られた暗号鍵によって暗号化されて前記主情報領域に記録されることを特徴とする。
前記光記録媒体は、前記光ビームの異なる変調方式が、前記媒体識別情報の記録のために前記情報層に照射する光ビーム強度を、前記副情報領域に記録する前記副情報のコード化に応じ情報層に照射する光ビーム強度よりも低下させる変調方式であることが好ましい。
前記光記録媒体において、媒体識別情報は、副情報領域に形成されたピット形成領域の前記情報層の一部に重ねて記録することが好ましい。
前記光記録媒体において、媒体識別情報は、副情報領域の情報層の形状を変化させることなく記録したことが好ましい。
【００１５】
【発明の実施の形態】
本発明の光記録媒体は、主情報領域と副情報領域とにわたり情報信号を記録できる情報層を備え、副情報領域の情報層に記録する副情報を情報層の形状を変えることなく記録した構成を備えるため、ＢＣＡパターンのような媒体識別情報パターン形成の際に、特にＢＣＡパターン境界部分の情報層が剥離または孔等の回復不可能な欠陥が発生し、当該欠陥に起因して主情報領域の情報層も記録不可能になるという記録型光記録媒体にとって致命的な課題を解決できる。形状の変化無く副情報を記録する副情報領域の情報層の形態としては、例えば色素、磁性材料、相変化材料等の光学活性材料が挙げられ、光学活性材料に応じて例えばレーザビーム等の光源及び／または熱源のエネルギー強度等を適宜選択して記録すればよい。なお、本発明でいう情報層の形状変化とは、例えば結晶・結晶間またはアモルファス・結晶間等の原子配列変化に伴う情報層の形状変化、情報層を構成する材料の化学変化に伴う情報層の形状変化等の極微小な変化は含まない。
【００１６】
主情報領域の情報層に相変化型材料を含む構成を採用すると、例えば副情報領域の情報層に記録する媒体識別情報の相状態と、主情報領域の情報層の相状態とを独立に変えられ各領域の情報層の相状態を制御できる、または媒体識別情報の記録部分を主情報領域の情報層の相状態と異なる相で記録できる。
【００１７】
主情報領域の情報層の主構成材料と、副情報領域の情報層の主構成材料とが同じである構成を採用すると、副情報領域の情報層と主情報領域の情報層との材料構成を変えることなく光記録媒体を作成できるため、安価に光記録媒体を提供できる。
【００１８】
また、前記媒体識別情報記録工程を行った後、前記媒体識別情報記録工程の光ビーム変調方式と異なる変調方式で前記情報信号記録工程を行う構成を採用すると、記録再生装置で媒体識別情報が記録されている部分と情報信号を記録するまたは情報信号が記録されている部分とを容易に識別できると共に、媒体情報信号部分の媒体情報を的確に認識できる。
【００１９】
さらに、前記媒体識別情報記録工程と前記相変換工程との後、前記主情報領域の情報層に情報信号を記録する工程を含む構成を採用すると、情報層に光磁気記録材料または相変化記録材料を含む場合に、主情報領域の情報層に記録、再生及び／または消去ができるため好ましい。なお、媒体識別情報記録工程と相変換工程とは後述するように同時に行ってもよく、また例えば相変換工程の後媒体識別除法記録工程を行うあるいはその逆の順のように別々の工程として行うことが必要時応じて選択できる。
【００２０】
媒体識別情報を情報層に照射する光ビーム強度を、媒体識別情報以外の情報層に照射する光ビーム強度よりも低下する構成を採用すると、例えばアモルファス・結晶間で相変化する材料を情報層に含む場合に、成膜された状態（アモルファス状態が主割合を占める）のまま媒体識別情報として情報層に記録でき、媒体識別情報部分以外は結晶状態に相変換できるため、通常の初期結晶化装置で媒体識別情報の記録が行える。
【００２１】
また、媒体識別情報を情報層に光ビームを照射し記録するスポットの周方向の主走査方向とこのスポットの径方向の副走査方向とに、スポットの一部を重ね合わせる走査を行うためには、媒体識別信号の周方向の幅及び径方向の長さよりも狭い光ビームスポットを用い、主走査方向及び副走査方向にスポットが重なる走査で対応できる。
【００２２】
特に、スポットと光ディスクとの主走査方向の相対移動速度を適正に制御すると、媒体識別情報部分の情報層を溶融状態のまま偏在させることができ、再生専用型光記録媒体における反射層に形成する媒体識別情報と同様に情報層を空隙にすることも可能である。この空隙化した媒体識別情報部分は、液状で情報層が偏在するため、媒体識別情報部分の大きさの光ビームを照射し空隙を作成する方法に比べると、情報層の材料及び／または積層膜の材料の飛沫等の発生、蒸発等に起因する衝撃による情報層及び／または積層膜の剥離等の課題も解消できる。なお、媒体識別情報部分に照射する光ビームの主走査方向及び副走査方向の幅、光ビームの強度及び／または光ビームと光ディスクとの相対速度は、光ディスクの情報層の材料及び／または情報層の回りの積層膜の構成や材料に依存するため、適宜選択して用いられる。また、媒体識別情報部分を空隙にする好ましい構成では、例えばユーザーによる媒体識別情報の改竄が防止できる効果も備えるが、この場合には媒体識別情報部分の情報層の形状は、他の情報層の形状と変化することは勿論である。
【００２３】
さらに、光記録媒体の副情報の回転方向の後側部分端辺近傍の方が、回転方向の副情報の前側端辺近傍に比べ、副情報領域の情報層の偏在する量が多い構成を採用すると、媒体識別情報部分を空隙化でき、再生専用型光記録媒体の媒体識別情報と同様の光学特性が得られる。
【００２４】
本発明においては、光記録媒体が円板形状の媒体であって、副情報領域は、前記円板形状媒体のリードインエリアの内周面に沿った位置に存在させることが好ましい。前記位置が媒体識別情報を記録するのにもっとも適しているからである。
【００２５】
また、本発明においては、直径約１２０mmの光ディスクにおいて、副情報領域は、光ピックアップがモーターとアクチュエーターから機構的に制限されず、光ピックアップが可動できる範囲を含み、かつ主情報に影響を及ぼさないように、円板の中心から２２．３ｍｍ以上２３．５ｍｍ以下の範囲に存在していることが好ましい。同様に前記位置が媒体識別情報を記録するのにもっとも適しているからである。
【００２６】
また、副情報領域にストライプ状にアモルファス状態を残すか又はストライプ状に結晶状態を残すように、重ね書きした追記領域(Burst Cutting Area)により、副情報を記録することが好ましい。副情報領域にストライプ状にアモルファス状態を残す場合は、引き続き主情報領域を結晶状態に相変化させて初期化することが好ましい。副情報領域にストライプ状に結晶状態を残す場合は、主情報領域は初期化不要（アズデポ(as-depo)）の記録膜を用いる場合に便利である。アズデポ膜は当初から結晶化しているが、記録膜が破壊しない程度に瞬間的に高温になるようにレーザーパワーを照射することにより、アモルファス化させることができる。
【００２７】
前記において、主情報領域を結晶状態に相変化させて初期化する記録膜としては、ＴｅやＳｅをベースとするカルコゲナイド、例えばＧｅＳｂＴｅ，ＧｅＴｅなどがある。また初期化不要（アズデポ(as-depo)）の記録膜としては、例えば前記カルコゲナイドのＧｅＳｂＴｅを真空蒸着法などの気相薄膜堆積法を用いてゆっくり堆積させる方法により形成できる。
【００２８】
前記においては、相変化がアモルファス状態と結晶状態であり、結晶状態の光の反射率がアモルファス状態の光の反射率に比較して、１０％以上高いことが好ましい。反射率比が１０％異なれば、記録情報が確実に判別できるからである。
【００２９】
また、前記光記録媒体が円盤状形状を有し、前記媒体識別情報を情報層に光ビームのスポットを照射し記録する際、前記スポットの周方向の主走査方向と前記スポットの径方向の副走査方向に前記スポットの一部を重ね合わせる重ね合わせ部分を備えた前記光ビームの走査を行い、前記重ね合わせ部分を記録情報とすることが好ましい。この方法により、ＢＣＡ信号を半径方向に切れ目なく形成でき、主情報を再生する光ビームを用いて、記録されたＢＣＡ信号を再生することができる。
【００３０】
以下、発明の一実施例について、図面を参照しながら説明する。なお、以下の実施例は光記録媒体としてアモルファス・結晶間で可逆的に相変化する書換型相変化光ディスクの場合を説明するが、本発明に適用できる光記録媒体としては書換型相変化光ディスクに限定されるものではなく、例えば稀土類・遷移金属合金等のいわゆる光磁気材料、シアニン系色素、フタロシアニン系色素等の色素系材料等のいわゆる記録可能な情報層材料が適用できる。また、相変化型材料としては、アモルファス・結晶間または結晶・結晶間で相変化する材料が挙げられ、従来公知の材料であるため詳細は割愛するが、可逆的に相変化する材料でも片方のみに相変化する材料であっても適用できる。
【００３１】
（実施例１）
図１は、光ディスクに媒体識別情報を記録する装置構成の一例を示すブロック図であり、媒体識別情報としてＢＣＡの場合について説明する。同図の記録装置は、光ディスク１を回転させるスピンドルモータ２、回転制御部３、レーザ光等の光源から発生した光ビームを集光する光ピックアップ４、光ピックアップ４の光源を駆動するレーザー駆動部５、光ディスク上に記録する副情報を変調してＢＣＡ信号を作成するＢＣＡ信号生成部６、ＢＣＡ信号をもとにレーザ変調波形を整形する波形設定部７、光ピックアップ４から出射した光を光ディスク上に集光するためのフォーカス制御部８、光ピックアップ４を移動させる送りモータ９と送りモータ制御部１０、光ピックアップ４の位置を検出する位置検出器１１、レーザ駆動部５、回転制御部３、フォーカス制御部８及び送りモータ制御部１０を総合的に制御するシステム制御系１２から構成されている。
【００３２】
図２は、本発明に適用できる光ディスクの一例の相変化型光ディスク構造を示す要部断面構成図である。図２に示すように、透明基板２１の一方の主面上に誘電体層２２、記録層２３（いわゆる情報層）、誘電体層２４、反射層２５からなる記録膜２６、及び記録膜２６に接して樹脂保護膜２７として紫外線硬化樹脂等が塗布される。記録層２３としては相変化型記録層を備えており、光学的な手段を用いて記録層の相状態を変化させ情報記録を行うことができる。この基板２枚を一対として、接着層２８を介して貼り合わせられ、一枚の光ディスクとして仕上げられる。なお、接着層２８を介して対称構成にした光ディスクであっても適用できることは勿論である。図２に示す実施例における記録膜２６は、誘電体層２２にＺｎ−ＳｉＯ2（膜厚１２０nm）、記録層２３にＧｅＴｅＳｂ（膜厚２０nm）、誘電体層２４にＺｎ−ＳｉＯ2（膜厚３０nm）、反射層２５にＡｌ合金（膜厚９０nm）をスパッタリング法により成膜した。
【００３３】
図３は、図２に示した相変化型光ディスクの上面図である。同図に示すように光ディスク１には、主情報記録領域３１と副情報記録領域３２とが存在する。主情報とはユーザーが光学的記録再生装置において記録・再生または消去する情報のことであり、副情報とはディスク毎に異なるＩＤ（識別情報）、暗号鍵、復号鍵等のことであり、光ディスク製造時に記録されるものである。以下、本発明の実施例では、副情報記録としてＢＣＡ記録をもとに説明を行う。なお、副情報領域には上述以外に主情報に関する位置情報等をピットで形成したピット部も含まれ、一般にＢＣＡはこのピット形成領域の記録層の一部に重ねて記録する。副情報記録領域３２は光ディスク１の中心から２２．３mm以上２３．５mm以下の範囲に存在する。この領域をリードインエリアともいう。また、図３に示す実施例においては、副情報記録領域３２を波長８１０nmのレーザーを用いて記録し、その副情報記録領域３２を波長６６０nmのレーザーを用いて再生したところ、結晶状態の部分の光反射率は１６％、アモルファス状態の部分の光反射率は２．５％であった。
【００３４】
図４は、本発明の相変化型光ディスクにＢＣＡを記録するフローチャートを示している。図４を用いて、ＢＣＡを記録する手順を説明する。ＢＣＡを記録する手順は、大きく３つのシーケンスに分けられ、立上げシーケンス４１、ＢＣＡ記録シーケンス４２、終了シーケンス４３からなる。
【００３５】
最初に立上げシーケンス４１について説明する。ステップ４１ａで、システム制御系１２からの指示に基づき、回転制御部３によりスピンドルモータ２を駆動し、光ディスク１を一定の回転数で回転させる（ＣＡＶ状態）。ステップ４１ｂで、送りモータ制御部１０によって制御された送りモータ９は、光ピックアップ４を支持するネジ１３を回転させ、光ピックアップ４を光ディスク１の径方向に移動させ、副情報記録開始位置まで移動させる。ステップ４１ｃで、システム制御系１２からの指示に基づいて、レーザ駆動部５は、光源として使用している半導体レーザ等の高出力レーザ１４を駆動する。レーザ１４から出射した光ビームは光ピックアップ４の光学系と最終の対物レンズ１５とを通して、光ディスクに照射される。このときレーザ１４から出射される光出力は、光ディスク１の記録層２３を結晶化させない程度の出力である。ステップ４１ｄで、フォーカス制御を行い、レーザ１４から出射した光ビームを光ディスク１の記録膜状に集光させる。光ディスク１からの反射光は光検出器１６で検出され、光検出器１６から電気信号として出力される。この出力信号はプリアンプ１７で増幅され、フォーカス制御部８に入力される。フォーカス制御部８は、光検出器からの入力信号に応じて、光ピックアップ４のボイスコイル１８を駆動し、対物レンズ１５を光ディスク面の垂直方向に微動させることで、光ビームが記録膜上に集光するよう制御する。ステップ４１ｅで、位置検出器１１は、光ピックアップの位置を検出し、システム制御系１２に位置情報を伝達する。ステップ４１ｆで、システム制御系１２は得られた位置情報をもとに、光ビームの照射位置が副情報記録開始位置にあることを検出し、波形設定部７に副情報記録信号を出力するとともに、ＢＣＡ記録シーケンス４２を開始する。光ビームの照射位置が副情報記録開始位置にないときは、システム制御系１２は送りモータ制御部１０に信号を送り、送りモータ制御部１０はこの信号に基づき送りモータ９を駆動し、光ピックアップ４を微動させ副情報記録開始位置へ移動させる。このあと再度ステップ４１ｅに戻る。
【００３６】
次に、ＢＣＡ記録シーケンス４２について説明する。ステップ４２ａで、図５（１）に示すように、光ディスク１上に記録する識別情報等の記録データ（副情報）をコード化して、図５（２）に示すようなＢＣＡパターン（記録信号）を作成する。ステップ４２ｂでは、波形設定部７はＢＣＡパターンをもとにレーザ変調波形を発生させる。波形設定部７は、ＢＣＡ信号生成部６より送られてきたＢＣＡ信号と、システム制御系１２からの回転周波数をもとに、回転制御部３からの一回転パルス信号をタイミングとして、図５（３）に示すようなＢＣＡ信号を反転させたレーザ変調波形を整形する。また波形設定部７は、システム制御系１２からの副情報記録信号を受けた場合レーザ変調波形を出力し、副情報記録信号を受けない場合、副情報記録信号より低いレーザ出力の例えば再生出力等のバイアス出力を行う。光ディスク１が１回転する間にステップ４２ｃとステップ４２ｄが同時に実行される。ステップ４２ｃでは、光ディスク１上にＢＣＡ記録を行う。レーザ駆動部５は、システム制御系１２から指定されたレーザ出力値と、波形設定部７からのレーザ変調波形とに基づきレーザ駆動を行い、レーザ光が図５（４）のように出力される。図５（４）における光出力において、出力５１ａは光ディスク１の記録膜２６を結晶化させるのに必要なエネルギーが得られるレーザ出力であり、出力５１ｂは光ディスク１の記録膜２６を結晶化させない程度の出力（例えば再生パワー）である。
【００３７】
次に、図６を用いて、図５（４）に示す光出力によって、光ディスク１上へのＢＣＡ記録を説明する。光ビーム６１は、光ディスク１の記録膜２６上に集光され、光ディスク１を回転させることにより、光ディスク１上を相対的に移動する（同図の矢印は光ディスク１の移動方向を示す）。レーザ駆動部５は波形設定部７によって生成されたレーザ変調波形をもとに、レーザ光の出力強度を変調させる。光出力が５１ａのときは記録膜２６を結晶化させ、光出力が５１ｂのときは記録膜２６を成膜した状態（主にアモルファス状態）のまま残すことにより、結晶化を間欠させＢＣＡを記録する。
【００３８】
ステップ４２ｄでは、光ディスク１が一回転する間に、光ピックアップ４を光ディスク１の径方向に移動させる。図７を用いて、光ピックアップを移動させながらＢＣＡパターンを記録する手順を説明する。光ディスク１の記録膜２６上に集光される集光スポット７１は光ディスク１の径方向に対して長い形状をしている。スピンドルモータ一回転あたりの光ピックアップ４の移動量７２は、集光スポット７１の径方向の長さ７１ａと同等、あるいは同等以下の大きさである。システム制御系１２からの指示により、送りモータ制御部１０は送りモータ９を駆動させ、スピンドルモータ２の回転と同期して一定の速度となるように光ピックアップ４を移動させる。同時にステップ４２ｃで述べたように一回転パルスを基準としてレーザ光を変調させることにより、図６で示した原理から光ディスク１の副情報記録領域にストライプ状のＢＣＡパターンが形成される。
【００３９】
ステップ４２ｅで、位置検出器１１は、光ピックアップの位置を検出し、システム制御系１２に位置情報を伝達する。ステップ４２ｆで、システム制御系１２は得られた位置情報をもとに、光ビームの照射位置が副情報記録領域内にあることを検出し、波形設定部７に副情報記録信号を出力するとともに、ステップ４２ｂに戻る。光ビームの照射位置が副情報記録領域外に出たときは、終了シーケンス４３へ移る。
【００４０】
次に、終了シーケンス４３について説明する。ステップ４３ａで、システム制御系１２はレーザ駆動部５に信号を送り、レーザ出力を再生パワーに戻す。ステップ４３ｂで、システム制御系１２はフォーカス制御部８に信号を送り、フォーカス制御を停止する。ステップ４３ｃで、システム制御系１２はレーザ駆動部５に信号を送り、レーザ出力をゼロにする。
【００４１】
以上の方法により、図３に示す光ディスク１の副情報記録領域に、ストライプ状にアモルファス状態を残すことによってＢＣＡを記録することができる。
【００４２】
図５に上述の方法でＢＣＡを記録した相変化型光ディスクを、通常の光学的情報記録再生装置において再生した場合について示す。このとき光ディスク上に記録されるＢＣＡパターンは、図５（５）のようなストライプ状に形成される。このストライプを通常の光学的情報記録再生装置の光ヘッドで再生すると、アモルファス状態の部分は結晶状態に比べ反射率が下がるため、図５（６）のように再生される。この再生信号は、図１４（４）で示した従来例の再生専用型光記録媒体におけるＢＣＡ再生信号とほぼ同じ再生信号となる。この再生信号をローパスフィルタに通過させることにより、図５（７）のような信号が得られ、レベルスライスすることにより、図５（８）のような再生データが得られる。
【００４３】
なお、ここでは波形設定部でのレーザ変調波形の生成はスピンドルモータ２からの一回転パルス信号を基準にしていたが、さらにスピンドルモータ２にロータリエンコーダを設け、このロータリエンコーダで検出される光ディスク１の回転角度信号を基準として、間欠パルスの発生タイミングを設定する方法がある。この方法によると、スピンドルモータ２の回転変動等によるＢＣＡ記録位置の誤差を低減させ、さらにＢＣＡ記録位置の精度を向上させることができる。
【００４４】
また、ここでは光ディスク１の回転を一定回転数（ＣＡＶ）にする状態で説明したが、スピンドルモータ２にロータリエンコーダを設け、このロータリエンコーダで検出される光ディスク１の回転角度信号を基準にすることにより、光ディスク１の回転を一定線速度（ＣＬＶ）とする方法がある。この方法によると、記録膜を結晶化するためのレーザ出力を一定にすることができ、線速度変化による結晶化時間差がなくなるため、安定な結晶状態を得ることができる。
【００４５】
また、ここでは結晶化を間欠させるためのレーザ出力として図６のような矩形波形を用いて説明したが、レーザ出力をマルチパルス波形とする方法もある。この方法によると、レーザ光によってディスク面に与える熱量が、結晶化領域のみを結晶化させるのに必要な熱量となるように制御することができ、余熱によって結晶化領域が広がるのを抑えることができるため、最適なＢＣＡ記録状態を得ることができる。
【００４６】
（実施例２）
図８は、本発明の光ディスクにＢＣＡを記録するとともに、光ディスクの初期化処理も連続して行うことができるＢＣＡ記録装置の構成を示すブロック図である。この記録装置は、図１に示したＢＣＡ記録装置に対して、システム制御系の中にＢＣＡ記録制御系８１と初期化制御系８２と状況に応じて各々の制御系を切り換える切換器８３を追加することで、光ディスク１に対して、ＢＣＡ記録と初期化を連続して行うことができるという特徴がある。このＢＣＡ記録と初期化を切り換える切換器８３は、位置検出器１１からの信号によって、光ビームの照射位置が副情報記録領域内にある場合は、ＢＣＡ記録制御系によってシステム制御させ、副情報記録領域外にある場合は、初期化制御系によってシステム制御させるものである。
【００４７】
図９と図１０のフローチャートを用いて、この装置の具体的な動作を、例としてＣＡＶ状態でＢＣＡ記録を行った後、ＣＬＶ状態で初期化を行う場合について以下に示す。この装置の手順は、大きく４つのシーケンスに分けられ、立上げシーケンス４１、ＢＣＡ記録シーケンス４２、初期化シーケンス９１、終了シーケンス４３からなる。本実施例では、副情報記録開始位置は図３における半径位置３４ａ、副情報記録終了位置は図３における半径位置３４ｂ、初期化開始位置は図３における半径位置３４ｂ、初期化終了位置は図３における半径位置３４ｃとする。
【００４８】
最初に立上げシーケンス４１について説明する。ステップ４１ａで、システム制御系１２からの指示に基づいて回転制御部３によりスピンドルモータ２を駆動し、光ディスク１を一定の回転数で回転させる（ＣＡＶ状態）。ステップ４１ｂで、送りモータ９は光ピックアップ４を支持するネジ１３を回転させ、光ピックアップ４を光ディスク１の径方向に移動させ、副情報記録開始位置まで移動させる。ステップ４１ｃで、システム制御系１２からの指示に基づいて、レーザ駆動部５はレーザ１４を駆動する。レーザ１４から出射した光ビームは光ピックアップ４の光学系と最終の対物レンズ１５を通して、光ディスクに照射される。このときレーザ１４から出射される光出力は、光ディスク１の記録層２３を結晶化させない程度の出力である。ステップ４１ｄで、フォーカス制御を行い、レーザ１４から出射した光ビームを光ディスク１の記録膜状に集光させる。ステップ４１ｅで、位置検出器１１は、光ピックアップの位置を検出し、システム制御系１２に位置情報を伝達する。ステップ４１ｆで、システム制御系１２は得られた位置情報をもとに、光ビームの照射位置が副情報記録開始位置にあることを検出し、波形設定部７に副情報記録信号を出力するとともに、ＢＣＡ記録シーケンス４２を開始する。光ビームの照射位置が副情報記録開始位置にないときは、システム制御系１２は送りモータ制御部１０に信号を送り、送りモータ制御部１０はこの信号をもとに送りモータ９を駆動し、光ピックアップ４を微動させ副情報記録開始位置へ移動させる。このあと再度ステップ４１ｅに戻る。
【００４９】
次に、ＢＣＡ記録シーケンス４２について説明する。ステップ４２ａで、光ディスク１上に記録する識別情報等の記録データ（副情報）をコード化して、ＢＣＡパターン（記録信号）を作成する。ステップ４２ｂでは、波形設定部７はＢＣＡパターンをもとにレーザ変調波形を発生させる。波形設定部７は、ＢＣＡ信号生成部６より送られてきたＢＣＡ信号と、システム制御系１２からの回転周波数をもとに、回転制御部３からの一回転パルス信号をタイミングとして、ＢＣＡ信号を反転させたレーザ変調波形を整形する。また波形設定部７は、システム制御系１２からの副情報記録信号を受けた場合レーザ変調波形を出力し、副情報記録信号を受けない場合バイアス出力を行う。光ディスク１が１回転する間にステップ４２ｃとステップ４２ｄが同時に実行される。
【００５０】
ステップ４２ｃでは光ディスク１上にＢＣＡ記録を行う。レーザ駆動部５は、システム制御系１２から指定されたレーザ出力値と、波形設定部７からのレーザ変調波形とをもとにレーザ駆動を行い、レーザ光が図５（４）のように出力される。図５（４）における光出力は、出力５１ａは光ディスク１の記録膜２６を結晶化させるのに必要なエネルギーが得られるレーザ出力であり、出力５１ｂは光ディスク１の記録膜２６を結晶化させない程度の出力（例えば再生パワー）である。図６に示すように、この変調した光ビームを光ディスク１の記録膜に照射することにより、結晶化を間欠させＢＣＡを記録する。
【００５１】
ステップ４２ｄでは、光ディスク１が一回転する間に、図７のように光ピックアップ４を光ディスク１の径方向に一定速度で所定の量だけ移動させる。ステップ４２ｃとステップ４２ｄとを同時に行うことにより、光ディスク１の副情報記録領域にストライプ状のＢＣＡパターンが形成される。
【００５２】
ステップ４２ｅで、位置検出器１１は、光ピックアップの位置を検出し、システム制御系１２に位置情報を伝達する。ステップ４２ｆで、システム制御系１２は得られた位置情報をもとに、光ビームの照射位置が副情報記録領域内にあることを検出し、波形設定部７に副情報記録信号を出力するとともに、ステップ４２ｂに戻る。光ビームの照射位置が副情報記録領域外に出たときは、図１０に示す初期化シーケンス９１へ移る。
【００５３】
次に、初期化シーケンス９１について説明する。光ビームの照射位置が副情報記録領域外に出て初期化領域に入ると、切換器８３によって初期化制御系がシステム制御を行う。ステップ９１ａで、システム制御系１２は回転制御部に信号を送り、回転状態をＣＡＶからＣＬＶ状態に切り換える。ステップ９１ｂで、システム制御系１２はレーザ駆動部５に信号を送り、レーザ駆動部５は設定された線速度に対して光ディスク１の記録膜２６が結晶化するのに必要なパワーで、一定となるようにレーザ出力を制御する。ステップ９１ｃで、光ディスク１が一回転する間に、送りモータ制御部１０は送りモータ９を駆動し、光ピックアップを所定の量だけ移動させる。ステップ９１ｄで、位置検出器１１は、光ピックアップの位置を検出し、システム制御系１２に位置情報を伝達する。システム制御系１２は得られた位置情報をもとに、光ビームの照射位置が初期化領域内にあることを検出し、ステップ９１ｃに戻る。光ビームの照射位置が初期化領域外に出たときは、終了シーケンス４３へ移る。
【００５４】
次に、終了シーケンス４３について説明する。ステップ４３ａで、システム制御系１２はレーザ駆動部５に信号を送り、レーザ出力を再生パワーに戻す。ステップ４３ｂで、システム制御系１２はフォーカス制御部８に信号を送り、フォーカス制御を停止する。ステップ４３ｃで、システム制御系１２はレーザ駆動部５に信号を送り、レーザ出力をゼロにする。
【００５５】
以上の動作により、光ディスク１上の副情報記録領域に記録膜２６の相状態を変化させることによりＢＣＡを記録した後、連続して光ディスク１の初期化処理も行うことができ、製造プロセスを簡略化することができる。
【００５６】
なお、実施例２では、ＣＡＶ状態でＢＣＡ記録を行った後、ＣＬＶ状態で初期化を行う場合について説明したが、初期化後ＢＣＡ記録することも可能である。また、線速度にあわせてレーザ出力強度を制御することにより、ＣＡＶ状態のままＢＣＡ記録と初期化を連続して行うことも可能である。また、スピンドルモータにロータリエンコーダを付け、ＢＣＡ記録時に、前記ロータリエンコーダで検出される光ディスク１の回転角度信号を基準にしてレーザ変調信号を生成することにより、ＣＬＶ状態のままＢＣＡ記録と初期化を連続して行うことも可能である。
【００５７】
（実施例３）
図８で示した装置を用いて、記録層及び／または記録膜を貫通する貫通孔または陥没を設ける穴（以下穴と称す）を設けることによって、ＢＣＡパターンを記録する方法について説明する。本発明により、従来例であるＢＣＡパターン１個に対して１回のレーザー発光でＢＣＡパターンを記録する方法に比べ、形成するＢＣＡパターンよりも十分小さい光スポットを複数回にわたって照射することにより、記録膜、およびその周辺部への熱的影響、熱的ダメージを低減でき、良好な穴（ＢＣＡパターン）を形成することができる。また、図１１に示すように、レーザ光出力をＢＣＡ記録部において膜破壊が発生するパワー１１１ａまで上げることにより実現できる。この方法によると、光ディスクの初期化処理もできて、かつ従来と同様に記録膜に穴を開けてＢＣＡ記録することもできる。
【００５８】
図１２と図１３のフローチャートを用いて、この装置の具体的な動作を、例としてＣＡＶ状態でＢＣＡ記録を行った後、ＣＬＶ状態で初期化を行う場合について以下に示す。この装置の手順は、大きく４つのシーケンスに分けられ、立上げシーケンス４１、ＢＣＡ記録シーケンス１２１、初期化シーケンス１３１、終了シーケンス４３からなる。また、副情報記録開始位置は図３の半径位置３４ａ、副情報記録終了位置は図３の半径位置３４ｂ、初期化開始位置は図３の半径位置３４ａ、初期化終了位置は図３の半径位置３４ｃとする。
【００５９】
最初に立上げシーケンス４１について説明する。ステップ４１ａで、システム制御系１２からの指示に基づいて回転制御部３によりスピンドルモータ２を駆動し、光ディスク１を一定の回転数で回転させる（ＣＡＶ状態）。ステップ４１ｂで、送りモータ９は光ピックアップ４を支持するネジ１３を回転させ、光ピックアップ４を光ディスク１の径方向に移動させ、副情報記録開始位置まで移動させる。ステップ４１ｃで、システム制御系１２からの指示に基づいて、レーザ駆動部５はレーザ１４を駆動する。レーザ１４から出射した光ビームは光ピックアップ４の光学系と最終の対物レンズ１５を通して、光ディスクに照射される。このときレーザ１４から出射される光出力は、光ディスク１の記録層２３を結晶化させない程度の出力である。ステップ４１ｄで、フォーカス制御を行い、レーザ１４から出射した光ビームを光ディスク１の記録膜上に集光させる。ステップ４１ｅで、位置検出器１１は、光ピックアップの位置を検出し、システム制御系１２に位置情報を伝達する。ステップ４１ｆで、システム制御系１２は得られた位置情報をもとに、光ビームの照射位置が副情報記録開始位置にあることを検出し、波形設定部７に副情報記録信号を出力するとともに、ＢＣＡ記録シーケンス４２を開始する。光ビームの照射位置が副情報記録開始位置にないときは、システム制御系１２は送りモータ制御部１０に信号を送り、送りモータ制御部１０はこの信号をもとに送りモータ９を駆動し、光ピックアップ４を微動させ副情報記録開始位置へ移動させる。このあと再度ステップ４１ｅに戻る。
【００６０】
次に、ＢＣＡ記録シーケンス１２１について説明する。ステップ１２１ａで、光ディスク１上に記録する識別情報等の記録データ（副情報）をコード化して、ＢＣＡパターン（記録信号）を作成する。ステップ１２１ｂでは、波形設定部７はＢＣＡパターンをもとにレーザ変調波形を発生させる。波形設定部７は、ＢＣＡ信号生成部６より送られてきたＢＣＡ信号と、システム制御系１２からの回転周波数とをもとに、回転制御部３からの一回転パルス信号をタイミングとして、レーザ変調波形を整形する。また、波形設定部７は、システム制御系１２からの副情報記録信号を受けた場合レーザ変調波形を出力し、副情報記録信号を受けない場合バイアス出力を行う。光ディスク１が１回転する間にステップ１２１ｃとステップ１２１ｄが同時に実行される。ステップ１２１ｃでは、光ディスク１上にＢＣＡ記録を行う。レーザ駆動部５は、システム制御系１２から指定されたレーザ出力値と、波形設定部７からのレーザ変調波形をもとにレーザ駆動を行い、レーザ光が図１１（１）のように出力される。図１１（１）における光出力において、出力１１１ａは光ディスク１の記録膜２６を破壊し穴を設けるのに必要なエネルギーが得られるレーザ出力であり、出力１１１ｂは光ディスク１の記録膜２６を結晶化させない程度の出力（例えば再生パワー）である。この変調した光ビームを光ディスク１の記録膜に照射することにより、記録層及び／または記録膜に穴を間欠させて備えたＢＣＡを記録する。
【００６１】
ステップ１２１ｄでは、光ディスク１が一回転する間に、光ピックアップ４を光ディスク１の径方向に一定速度で所定の量だけ移動させる。ステップ１２１ｃとステップ１２１ｄを同時に行うことにより、光ディスク１の副情報記録領域にストライプ状のＢＣＡパターンが形成される。ステップ１２１ｅで、位置検出器１１は、光ピックアップの位置を検出し、システム制御系１２に位置情報を伝達する。ステップ１２１ｆで、システム制御系１２は得られた位置情報をもとに、光ビームの照射位置が副情報記録領域内にあることを検出し、波形設定部７に副情報記録信号を出力するとともに、ステップ１２１ｂに戻る。光ビームの照射位置が副情報記録領域外に出たときは、図１３に示す初期化シーケンス１３１へ移る。
【００６２】
次に、初期化シーケンス１３１について説明する。光ビームの照射位置が副情報記録領域外に出ると、切換器８３で初期化制御系がシステム制御を行う。ステップ１３１ａで、システム制御系１２はレーザ駆動部５に信号を送り、レーザ出力を再生パワーに戻す。ステップ１３１ｂで、光ピックアップ４を光ディスク１の径方向に移動させ、初期化開始位置まで移動させる。
【００６３】
ステップ１３１ｃで、システム制御系１２は回転制御部に信号を送り、回転状態をＣＡＶからＣＬＶ状態に切り換える。ステップ１３１ｄで、システム制御系１２はレーザ駆動部５に信号を送り、レーザ駆動部５は設定された線速度に対して、光ディスク１の記録膜２６が結晶化するのに必要なパワーで一定となるように、レーザ出力を制御する。ステップ１３１ｅで、光ディスク１が一回転する間に、送りモータ制御部１０は送りモータ９を駆動し、光ピックアップを所定の量だけ移動させる。ステップ１３１ｆで、位置検出器１１は、光ピックアップの位置を検出し、システム制御系１２に位置情報を伝達する。システム制御系１２は得られた位置情報をもとに、光ビームの照射位置が初期化領域内にあることを検出し、ステップ１３１ｅに戻る。光ビームの照射位置が初期化領域外に出たときは、終了シーケンス４３へ移る。
【００６４】
次に、終了シーケンス４３について説明する。ステップ４３ａで、システム制御系１２はレーザ駆動部５に信号を送り、レーザ出力を再生パワーに戻す。ステップ４３ｂで、システム制御系１２はフォーカス制御部８に信号を送り、フォーカス制御を停止する。ステップ４３ｃで、システム制御系１２はレーザ駆動部５に信号を送り、レーザ出力をゼロにする。
【００６５】
以上の動作により、光ディスク１上の副情報記録領域に記録膜２６に穴を開けることによりＢＣＡを記録した後、連続して光ディスク１の初期化処理も行うことができ、製造プロセスを簡略化することができる。
【００６６】
なお、ここではＢＣＡ記録波形として図１１（１）のようにＢＣＡ記録部以外はレーザ出力を再生パワーとしていたが、初期化開始位置を図３の半径位置３４ｂとし、図１１（３）のようにＢＣＡ記録部以外を初期化パワーとする方法もある。この方法によると、初期化領域が狭くなるため、処理能力を向上させることができる。
【００６７】
また、実施例３では、ＣＡＶ状態でＢＣＡ記録を行った後、ＣＬＶ状態で初期化を行う場合について説明したが、初期化後ＢＣＡ記録することも可能である。また、線速度にあわせてレーザ出力強度を制御することにより、ＣＡＶ状態のままＢＣＡ記録と初期化を連続して行うことも可能である。また、スピンドルモータにロータリエンコーダを付け、ＢＣＡ記録時に、前記ロータリエンコーダで検出される光ディスク１の回転角度信号を基準にしてレーザ変調信号を生成することにより、ＣＬＶ状態のままＢＣＡ記録と初期化を連続して行うことも可能である。
【００６８】
上記実施例３で説明した記録層及び／または記録膜に穴を設けることにより、使用者が勝手に媒体識別情報を改竄することを抑制できる効果があると共に、再生専用型光記録媒体と同様の媒体識別情報を形成できる。
【００６９】
なお、実施例３では媒体識別情報の記録に記録層及び／または記録膜に穴を設ける場合を説明したが、本記録方法は主情報領域における記録層及び／または記録膜にも適用できる。主情報領域に適用すると、書換型光ディスクでありながら一部の情報の改竄を抑制できるという、書換可能型と追記型との両立が可能となる光ディスクの記録方法が達成できる。
【００７０】
また、記録層及び／または記録膜に穴を設けた場合、例えば実施例３で説明した光ディスクの線速度を最適化し、記録層及び／または記録膜が液化され、表面張力により偏在する構成を採用すると、穴部分は回転方向（すなわち移動方向）の前側端辺近傍（すなわち記録開始点側）及び後側端辺近傍（すなわち記録終了点側）には記録層及び／または記録膜の材料が穴により偏在するが、前側端辺近傍の偏在量よりも後側端辺近傍の偏在量の方が多くなり穴部分の形状は非対称となるが、穴部分による光学的変化が大きいため充分に吸収できる。さらに、穴部分は溶融状態の材料の表面張力に起因する偏在であるため、材料の気化等に伴う衝撃力を抑制でき、記録層及び／または記録膜の剥離等の発生もない。
【００７１】
なお、本発明に適用される光ディスクの構成は反射層を備えなくても全く同様であるが、特に実施例３の貫通孔を設ける構成で反射層を備えた光ディスクの場合には、孔は反射層まで貫通する構成が好ましく、反射層まで貫通する媒体識別情報の場合には、再生専用型光記録媒体と全く同じ媒体識別情報が得られる。
【００７２】
前記実施例１〜３では基本的なＢＣＡの記録方法を述べたが、以下、実施例４では、記録時の変調方法を再生時の復調方法を詳しく述べる。さらに次の実施例５ではこのＢＣＡを応用した場合の実施例を述べ、ＢＣＡのイニシャライザ兼用方式に想定される改ざんによるセキュリティ低下を防ぐ方法を説明する。
【００７３】
（実施例４）
まず、図１５（ａ）を用いて、データの変調方法を詳細に述べる。まず、記録すべきデータはリードソロモン方式エラー訂正コード（ＥＣＣ）付加部７１５において、データ７１６に対してＥＣＣ７１７が付加される。第１６図（ａ）は、１８８バイトのデータ７１６の全てに対して、リードソロモンの演算を行い、１６バイトのＥＣＣ７１７を付加したデータ構成を示す。第１６図（ｂ）は１２バイトのデータ７１６ａを記録する場合のデータ構成を示す。ＥＣＣ７１７ａ部のデータ量は１６バイトで、データが１８８バイトの場合のＥＣＣ部とデータサイズは変わらない。
【００７４】
本発明のＥＣＣ演算は、データが１２バイトの場合、通常のようにデータ７１６ａの１２バイトに対して演算するのではなく、第１７図の（ｂ）に示すようにＲＳ1の最後の行から実体として存在しないＲＳ2からＲＳnの３番目の行までの１６６バイトに０を入れた１８８バイトの仮想的なデータ構成７１６ｂを作成し、エラー訂正の演算を行ない、ＥＣＣ７１７ｂを演算する。
【００７５】
ＤＶＤドライブの制御用の小容量の８ビットもしくは１６ビットマイコンでＢＣＡの訂正演算を行う場合、１２バイト，２８バイト及び４４バイトから１８８バイトの間を含めて合計１２種類のＥＣＣ演算を行う従来の方式では、各々の演算プログラムが必要なためプログラム容量とメモリ空間が大きくなり足らなくなる可能性がある。本発明により既存のドライブの小容量のマイコンでＥＣＣ処理できる効果がある。
【００７６】
（同期符号）
次に同期符号について述べる。図１８（ａ）は、同期ビット７１９ａ〜７１９ｚを示す。図１８（ｂ）に示すように同期信号の固定パターンの間隔は４Ｔとなっているため、データの３Ｔと同期パターンとは区別しやすくなる。
【００７７】
（ＰＥ−ＲＺ変調）
ＥＣＣコードが入ったデータ７１６は、ＤＶＤ−Ｒ，ＤＶＤ−ＲＷのようなＤＶＤ−ＲＯＭと同じグルーブ記録を行うタイプの記録型のメディアにＢＣＡを記録する場合は、ＲＯＭディスクと区別させるためのＰＥ−ＲＺ変調部７２０の逆コード変換部７２１で、データの１，０が反転させられ、ＲＺ変調部７２２，ＰＥ変調部７２３でＰＥ−ＲＺ変調される。図２０の波形図を用いて説明すると、（１）は入力データ，（１’）はビット反転データ，（２）はＲＺ変調，（３）はＰＥ−ＲＺ変調信号を示す。この変調信号はパルス巾半減部７２４において、パルス巾が５０％以下となり、図２０（４）のような波形が得られる。ＤＶＤ−ＲＷのような相変化型ディスクの場合は、正負逆転部７２５により波形を逆相とし、（５）の光出力に示すようにレーザー７２６の初期化光をＢＣＡ変調個所のみＯＦＦにする。図２０（６）のように、ＢＣＡパターンが記録されるとともに、ＢＣＡ間の記録膜が結晶化し初期化される。本発明の場合、本来のＰＥ−ＲＺ変調信号の半分以下に記録パルス巾を狭くしているので、図２０（６）のように各スロットのストライプの巾が半分に狭くなる。さらに、２スロットに１ヶしかストライプがないため、ＢＣＡ領域７２８では全部で１／４の巾の部分、つまり面積比で１／４のみ、ＢＣＡ部分つまり低反射部となる。
【００７８】
記録膜が相変化材料の場合、記録前の部分である明部の反射率は２０％前後で低い。従来のＰＥ−ＲＺ信号の記録パルス巾の信号をそのまま用いると、図２０（３）に示すように半分が記録後の部分である暗部になり、平均反射率は１０％前後となり、平均反射光が減るためフォーカシングに悪影響を与える。本発明では、パルス巾半減部７２４により、ＢＣＡのパルス巾を半分にしているので、平均反射率は元のＢＣＡやピットのない部分の反射率の７５％以上となり、相変化記録膜を用いても、１５％以上の平均反射率がＢＣＡ領域においても得られる。このため、フォーカスが容易となり、安定するという効果がある。
【００７９】
（ＤＶＤ−Ｒに記録する場合）
また、この記録装置でＤＶＤ−Ｒに記録する場合は、正負送転制御信号を発生して、正負逆転部７２５に送ることにより、図２０（５）の光出力の極性が反転する。このため、レーザー発光した部分のＤＶＤ−Ｒの記録膜の反射率が下がり、図２０（６）のようなＢＣＡが記録される。波形の極性を反転する機能があるため、ＤＶＤ−Ｒに記録する場合は反転させず、ＤＶＤ−ＲＷに記録する場合には反転させると両方のメディアにＢＣＡを記録する機能を１台でもつことができるという効果がある。図２０はコード反転部７２１があるため、ＲＯＭ型ディスクとは変調データの１，０の値が反転する。比較のため、図１９にＲＯＭ型ディスクの変調信号を示す。
【００８０】
図１９と図２０では、（１）入力データは同じである。しかしＲＯＭの場合は、コード反転信号を送らないので、コード反転部７２１は動作しない。このため、“０”の時、ＰＥ−ＲＺ信号は図１９（３）のように左側のスロットに配置され、ＢＣＡパターンも図１９（ｂ）のように左側となる。一方、ＤＶＤ−ＲＷ，ＤＶＤ−Ｒ等のＲＡＭ型メディアの場合はコード反転信号が送られるため“０”の時、ＰＥ−ＲＺ信号は図２０（３）のように右側のスロットに配置され、ＢＣＡパターンは（ｃ）のように右側となる。従って、ディスク上のＢＣＡパターンが異なるため、ＲＯＭのＢＣＡとＲＡＭのＢＣＡを判別できる。もし、不正な業者がＤＶＤ−ＲＷやＤＶＤ−ＲのＲＡＭディスクを用い、ＲＯＭディスクのデータをコピーしてもＢＣＡのパターンが異なるため、及びＲＯＭディスクではないと判別されるため、不正使用が防止されるという効果がある。
【００８１】
本発明では、コード反転部７２１をＯＦＦにし、正負逆転部７２５をＯＦＦすることにより図１９のようにＢＣＡをＲＯＭディスクに記録できる。ＤＶＤ−ＲＷの場合はＯＮ／ＯＮにし、ＤＶＤ−Ｒの場合はＯＮ／ＯＦＦにし、ＤＶＤ−ＲＡＭの場合はＯＦＦ／ＯＮにすれば、正規のＢＣＡが１台の記録装置で記録できる。このように２つのスイッチ切換えによりＤＶＤ−ＲＯＭ，ＤＶＤ−Ｒ，ＤＶＤ−ＲＷ，ＤＶＤ−ＲＡＭの４つの異なるメディアにＢＣＡを同じ記録装置で記録できるという効果がある。
【００８２】
（ＢＣＡの配置）
図２１にＢＣＡの配置を示す。ＤＶＤ−ＲＯＭとＤＶＤ−ＲＡＭでは、リードインエリアの最内周の半径２２．３ｍｍの位置より、半径２３．５ｍｍの位置までＢＣＡ領域７２８が配置される。この領域にはアドレス７２９が記録されており、ＢＣＡバーコードの記録角度は最小５１度から最大３１６度であるため、ＢＣＡ領域の特定の角度範囲には未記録部が存在する。この空き領域７３０では、アドレスが読めるため再生装置のヘッドは自分の位置を知ることができる。ＢＣＡ領域の外周部にはガードバンド７３１が５０μｍ以上にあり、さらに外周部にあるディスクの物理属性を示すコントロールデータ７３２がピットで記録されており、ＢＣＡ存在識別子７１２、ディスク種類識別子７１１、コピー防止ディスクを示すコピー防止識別子７３５、メディアキーブロックつまり鍵群７３６が記録されている。
【００８３】
ＤＶＤ−ＲやＤＶＤ−ＲＷの場合は、ＢＣＡの内周部の半径22.1(21.9)mmから22.3(22.1)mmの範囲にパワー調整のための試し書き領域のＰＣＡ領域７３７、半径22.3(22.1)mmから22.6(22.4)mmの範囲にパワー制御のヒストリーを記録するＲＭＡ領域７３８、ＲＭＡ領域とＢＣＡ領域７２８との干渉を避けるための副ガードハンド７３９がＢＣＡの内周部に５０μｍ以上設けられている。このため、ＢＣＡ領域７２８は半径22.8mmから23.5mmの間、正確には22.77mmから23.45mmの間には必ず存在する。このようにＢＣＡ領域をＲＯＭに比べて半径方向に狭くすることによりＰＣＡ，ＲＭＡとの共存が可能となり、ＤＶＤ−Ｒ，ＤＶＤ−ＲＷにＢＣＡを用いることができる。この場合、連続イニシャライズは、少なくとも内周部から始め半径22.65mmまでは継続する。そして、ＰＥ−ＲＺ変調信号に基づいて間欠発光させＢＣＡを記録し、半径23.57mmで完全に連続発光に切り替えることにより、ＢＣＡをイニシャライズで記録でき、ＲＭＡを破壊させずにＢＣＡを記録できる。
【００８４】
（再生方法）
図１５（ｂ）を用いて、ＢＣＡの再生方法を述べる。まず、光ヘッドでコントロールデータ７３２をアクセスし、８−１６復調部７３８で復調する。復調されたコントロールデータよりＢＣＡ識別子７１２をよみ、ＢＣＡ識別子判定部７３９で“０”すなわち存在を示さない場合は停止し、“１”、すなわち、存在を示す場合はディスク種類識別子７１１をよみ、ディスク種類識別子判定部７４０において、ＤＶＤ−ＲやＤＶＤ−ＲＷ等の記録型ディスクを示す場合のみ、コード反転信号７４５を発生し、コード反転部７４４を作動させる。
【００８５】
一方、ＢＣＡデータを再生する場合は、図２１に示したＢＣＡ領域７２８に光ヘッドを移動させ、ＢＣＡ信号を再生し、レベルスライサ７１４でデジタル信号とし、同期信号再生部７４３で同期信号を抽出し、ＢＣＡデータ７１６のみをＰＥ−ＲＺ復調部７４２で復調する。上述のコード反転信号７４５がＯＮの時は、コード反転部７４４において、図２０の（１’）から（１）に示したように変換し、１，０を反転させる。ＲＯＭディスクの場合は、コード反転信号７４５は発生しないためコードは変換されない。こうして、元のＢＣＡデータが正常に再生され、リードソロモンエラー訂正部７４６において、図１７（ｂ）のようにＢＣＡが１８８バイト未満の場合は、０データを加えて仮想的に１８８バイトとしてＥＣＣ演算を行いエラー訂正され、ＢＣＡ信号が正しく出力される。
【００８６】
（実施例５）
（ディスクＩＤの記録方法）
図２２はＢＣＡ付ＲＡＭディスクの代表的な製造工程を示す。まず、公開鍵や秘密鍵等の第１暗号鍵８０２を用いて暗号エンコーダ８０３で１〜ｎ番目の複数の暗号を含む暗号鍵群７００を暗号化して第１暗号と８０５を作成する。この第１暗号８０５がマスタリング装置の８−１６変調器９１７により変調され、この変調信号がレーザーにより原盤８００の内周部にある第１記録領域９１９に凹凸のピットとして記録される。具体的には図２１で示したようにコントロールデータ領域７３２にＢＣＡ識別子７１１，ディスク種類識別子７１２，コピー防止識別子７３５とともに記録される。この原盤８００を用いて成形機８０８ａでディスク状の透明基板９１８を成形し、記録膜作成機８０８ｂで相変化型記録材料もしくは色素素材料からなる記録膜を透明基板９１８の片面に形成し、０．６ミリ厚の片面ディスク８０９ａ、８０９ｂを作成し、この２枚を貼り合わせ機８０８ｃで貼り合わせて完成ディスクを作成する。この完成ディスク８０９の第２記録領域９２０にＢＣＡの記録装置８０７で、ディスクＩＤ９２１もしくはインターネット通信用の第２暗号鍵９２３の情報をＰＥ変調とＲＺ変調を組み合わせたＰＥ−ＲＺ変調器８０７ａで変調し、この変調信号をレーザー８０７ｂで記録しＢＣＡパターンを形成し、ＢＣＡ付き記録型ディスク８０１を製造する。相変化型記録材料の場合は、ＢＣＡ記録装置として、本発明のイニシャライザを用いることにより、イニシャライズ工程とＢＣＡ記録工程の２つの工程を１工程に統合できる。この工程を述べると、記録膜作成器８０８ｂで成膜した後の記録膜は、アモルファス状態もしくはアジデポ状態であるため反射率が１０％以下と低い。イニシャライザーを用いる場合、カマボコレンズにより、レーザ光を半径方向に長いストライプ形状のビームスポットに集束させ記録面上に結像させ、ディスクを回転させる。ビームを回転とともに外周部に移動させ、連続的に照射させることにより記録膜は反射率の低いアモルファス状態から反射率の高い結晶状態へと変化し、内周から外周へと連続的にイニシャライズされていく。この時、第２記録領域においては、ＰＥ−ＲＺ信号の“１状態”の時、０の信号つまりレーザー光をＯＦＦし、“０状態”の時１の信号つまり、レーザー光をＯＮすることにより、レーザーをＯＦＦにした個所ではアモルファス状態が残るので低反射率のままであり、ＯＮした個所では、結晶状態になるので高反射率となり、結果としてバーコードが円周上に形成され、ＢＣＡが記録される。レーザービームがＢＣＡの外周部に行き、図２１のガードバンド７３１の内周部に到達すると、ＢＣＡ信号に応じて間隔発光しているレーザーを連続的にＯＮ状態にすることによりガードバンド７３１より外周部の記録膜が全て結晶化、つまりイニシャライズされていき、最外周までイニシャライズされる。
【００８７】
ＤＶＤ−ＲＷの場合は、図２１に示すようにＢＣＡの内周部の少なくとも半径22.1mm公差を考えると半径21.9mmの領域から半径22.６mm公差を考えると半径22.4mmの領域まではＰＣＡ領域７３７、ＲＭＡ領域７３８とガードバンド７３９があるので、最初の内周部はレーザーを連続発光させ、半径が22.65mmから22.77mmの間(約22.6〜22.8mmの間)の位置でＢＣＡ変調信号に基づく間欠発光を開始し、ＢＣＡ領域７２８にＢＣＡパターンを記録し、半径23.45mmから半径23.55mmの間の位置で間欠発光から連続発光に切り替える。このことにより、図２１のガードバンド７３１にはＢＣＡが記録されず、ＢＣＡの外周部のコントロールデータ７３２やＢＣＡの内周部のＰＣＡ領域７３７、ＲＭＡ領域７３８は全周完全に初期化されるので、ＰＣＡ，ＲＭＡ領域の光ヘッドでデータやアドレスを安定によむことができるという効果がある。
【００８８】
貼り合わせディスクを用いているので、中に入ったＢＣＡは改ざん出来ず、セキュリティ用途に用いることが出来る。また、通常市販されているＤＶＤ−ＲＡＭ，ＤＶＤ−ＲＷドライブは円形のビームスポットをもつ。もし不正なユーザーがこの市販ドライブの円形ビームでＢＣＡ部分を改ざんしようとしてＢＣＡを消去しようとしてもトラック間にアモルファス状態が残るのでＢＣＡを完全に消去することができない。従って、市販のドライブではＢＣＡデータを改ざんできないため、民生用としては高いセキュリティ効果が得られる。一方、ＤＶＤ−ＲＷやＤＶＤ−Ｒ等のグルーブ記録型ＲＡＭディスクを用いてＤＶＤ−ＲＯＭそっくりのディスクをコピーされる可能性がある。これを防ぐため図２０で説明したようにコードの極性反転部８２０ｂでＰＥ−ＲＺ変調のデータ部のみＲＯＭディスクと変調ルールを逆にする。つまり、ＲＯＭの場合ＢＣＡデータが“０”，“１”の時、変調信号が各々“１０”で“０１”であったものを、ＲＡＭの場合では、各々“０１”，“１０”とする。するとＲＯＭとＲＡＭのＰＥ−ＲＺ変調信号が異なるため、ＲＡＭを用いてＲＯＭのコピーディスクを作っても区別でき、不正を検出できるため、防止が可能となる。
【００８９】
（著作権保護への応用）
図23を用いてこの改ざん困難なＢＣＡを著作権保護に用いる応用例を述べる。まずＲＡＭディスクに１回のみコピーが許可されたコンテンツを記録する際に、ＢＣＡを用いて暗号化する手順を述べる。１回のみコピー許可識別子を検出した場合、ＲＡＭディスク８５６のＢＣＡ領域９２０をアクセスしＢＣＡ再生部８２０で、ＰＥ−ＲＺ復調することによりＢＣＡのデータを再生し、ディスク固有のＩＤ８５７を出力する。又、ＲＡＭディスクの８５６の第２記録領域９１９には、１〜ｎ番目の鍵つまり複数の鍵群７００が記録されているが、鍵選択部７０３により、各々の製造業者のドライブに許可されている鍵を選び出し、暗号デコーダ７０８で復号し“第１の鍵”を生成する。この“第１の鍵”とディスク固有のＩＤ８５７を演算部７０４において一方向性関数で演算することにより、“第２の鍵”を生成する。この鍵は、各々のＲＡＭディスクにより異なり固有である。この“第２の鍵”は暗号化部８５９の暗号化部７０６に送られる。
【００９０】
暗号化部８５９では、コンテンツ鍵生成部７０７の乱数発生部７０９によりコンテンツ鍵７０５が生成される。このコンテンツ鍵は暗号部７０６において、前述の“第２の鍵”を用いて暗号化される。この“暗号化されたコンテンツ鍵”は記録回路８６２により、ディスク８５６の記録領域７０２に記録される。
【００９１】
一方、映画等の映像信号や音楽等の音声信号等からなるコンテンツ８６０はコンテンツ鍵７０５を用いて、暗号エンコーダー８６１で暗号化されて、記録回路８６２によりＲＡＭディスク８５６の記録領域７０２に記録される。
【００９２】
次に、このコンテンツ信号を再生する手順を図２３のブロック図と図２４のフローチャート図を用いて説明する。まず、ディスクが挿入され（ステップ７１４ａ）、コンテンツの再生命令を受けて（ステップ７１４ｂ）、そのディスクがＣＰＲＭ等のコピー防止ディスクであるかをディスクのコントロールデータ７３２の中のコピー防止識別子７３５をみて判断し（ステップ７１４ｃ）、もしコピー防止ディスクでなければそのまま再生する（ステップ７１４ｄ）。もし、コピー防止ディスクならステップ７１４ｅでコントロールデータの中のＢＣＡ識別子７１２を読む。又、コントロールデータのＢＣＡ識別子７１２（ステップ７１４ｅ）がＢＣＡの存在を示さない場合（ステップ７１４ｆ）はＢＣＡを再生しない（ステップ７１４ｇ）。この時、ＲＡＭディスク８５６のＢＣＡ領域から、ＢＣＡ再生部８２０のＰＥ−ＲＺ復調部により、ＩＤ８５７を含むＢＣＡの情報を再生する（ステップ７１４ｎ）。ディスク７０２の物理属性を記録してあるコントロールデータ７１０をよみ（ステップ７１４ｈ）、ディスク種類識別子７１１（ステップ７１４ｈ）が、ＤＶＤ−ＲＯＭか、ＤＶＤ−ＲＡＭか、ＤＶＤ−ＲＷ，ＤＶＤ−Ｒのいずれかであるかを判定する。もしＤＶＤ−ＲＷやＤＶＤ−Ｒの場合（ステップ７１４ｊ）は、ＰＥ−ＲＺ復調部８２０ａの極性反転部８２０ｂにより、データのコードの極性が反転する（ステップ７１４ｋ）。つまり、再生した変調信号が“０１”なら出力データを“１”に、“１０”なら“０”復調にして、ＤＶＤ−ＲＯＭの場合と逆にして復調する（ステップ７１４ｍ）。データ再生部８６５の８−１６復調部８６５ａにより、主データの復調を行い、まず、鍵ブロック領域９１９より複数の鍵からなる鍵群７００を再生し、鍵選択部７０３によりその装置に適した鍵を選択し、暗号デコーダ７０８において復号し、“第１の鍵”を再生する。このＩＤ８５７と、上記の“第１の鍵”とを演算部７０４において演算し、“第２の鍵”を生成する（ステップ７１４ｐ）。ここまでは、上述のコンテンツの記録モードと同じである。暗号化コンテンツを再生するモードでは、ディスク８５６より“暗号化されたコンテンツ鍵”を再生・復号し、暗号化されたコンテンツを復号する点が異なる。以下に図２３において再生時のみの流れを点線で示し詳しく述べる。
【００９３】
ディスク８５６の記録領域７０２に記録されている“暗号化されたコンテンツ鍵７１３”をデータ再生部８６５で再生し、前述の“第２の鍵”を用いて暗号デコーダ７１４で復号し、コンテンツ鍵７１５を復号する（ステップ７１４ｑ）。このコンテンツ鍵を復号鍵として用いて、暗号デコーダ８６３において、“暗号化されたコンテンツ”を復号し（ステップ７１４ｒ）、ｍ番目のコンテンツの平文８６４を出力する（ステップ７１４ｓ）。正規に１枚のディスクのみにコピーされた場合はＲＡＭディスクに記録された暗号化されたコンテンツ鍵の１つはこのディスクＩＤと対であり、正しく暗号の復号もしくはデスクランブルが行なわれ、第ｍ番目のコンテンツの平文８６４が出力される。映像情報の場合はＭＰＥＧ信号が伸長されて、映像信号が得られる。
【００９４】
この場合、暗号化はディスクＩＤを鍵としている。ディスクＩＤは世の中に１枚しか存在しないようにＩＤの番号が管理され製造されているため、１枚のＲＡＭディスクにしかコピーできないという効果が得られる。この原理を以下に述べる。
【００９５】
ここで、当初正規にコピーしたＲＡＭディスクから、別のもう一枚のＲＡＭディスクにコピーすることは禁止されているが、もし暗号化されたコンテンツをそのまま不正にビットコピーした場合、最初のディスクのディスクＩＤであるＩＤ１と、別のもう一枚のＲＡＭディスクつまり不正コピーディスクのディスクＩＤであるＩＤ２とは番号が異なる。不正コピーされたＲＡＭディスクのＢＣＡを再生するとＩＤ２が再生される。しかし、コンテンツもしくは／およびタイトル鍵はＩＤ１で暗号化されているので、暗号デコーダ８６３においてＩＤ２で解鍵しようとしても、鍵が異なるため、タイトル鍵やコンテンツの暗号は正しく復号されない。こうして、不正コピーのＲＡＭディスクの信号が出力されず、著作権が保護されるという効果がある。本発明はＤｉｓｋ  ＩＤ方式なので正規に１回だけコピーされた正規のＲＡＭディスクはどのドライブで再生しても、暗号が解錠されるため利便性が高いという効果がある。ただし、暗号化部８５９は遠隔地にある鍵管理センターでもよいし暗号エンコーダを搭載したＩＣカードでもよいし、記録再生装置に含んでもよい。
【００９６】
イニシャライザーでＢＣＡを記録した場合、市販されているドライブではＢＣＡを消去することができないが、ＢＣＡのついていない記録ディスクを入手してユーザーがＢＣＡを記録する可能性がある。この対策として本発明では、コントロールデータ７１０に原盤にプリピットでＢＣＡ識別子７１２を記録してあるため、ＢＣＡを記録しないディスクのＢＣＡ識別子７１２は“０”つまり、ないことを示し、かつプリピットのため改ざんできない。従って、このＢＣＡの記録していないＲＡＭディスクに後で不正にＢＣＡを記録してもＢＣＡ識別子が改ざんできないため、再生装置側で不正と判断され、動作しないという効果がある。
【００９７】
上述の実施例では書換可能相変化型光ディスクを例に採り、しかも副情報領域の記録層と主情報領域の記録層とが同一の場合について説明したが、媒体識別情報を記録する部分のみ記録層の材料組成を変える（例えば記録感度を低下させる等）、媒体識別情報を記録する部分のみ記録層の材料を変える（例えば色素系材料を適用する等）、媒体識別情報を記録する部分のみ記録層を除き反射層のみとする等何れであっても、本発明に含まれる。
【００９８】
さらに、相変化材料以外でも、光磁気材料、色素材料等を記録層の材料として用いる構成であっても、本発明を応用できる。
【００９９】
【発明の効果】
以上のように、本発明によれば、光記録媒体に対して安定的に媒体識別情報を記録することができる。特に、相変化型光記録媒体の初期化を行うのと同時に媒体識別情報を記録することが可能となり、製造工程の簡略化が図れるとともに、製造コストを抑えることができるという有利な効果が得られる。
【図面の簡単な説明】
【図１】  本発明の記録装置の一例を示すブロック図
【図２】  本発明に適用できる光ディスクの一例の要部断面構成図
【図３】  本発明に適用できる光ディスクの一例を示す上面図
【図４】  本発明の媒体識別情報記録方法の一例を示す流れ図
【図５】  本発明の媒体識別情報記録方法の一例のタイミングチャートを示す図
【図６】  本発明の媒体識別情報記録方法の一例を示す図
【図７】  同記録方法を示す上面図
【図８】  本発明の記録装置の他の例を示すブロック図
【図９】  本発明の媒体識別情報記録方法の他の例を示す流れ図
【図１０】  同記録方法の流れ図
【図１１】  本発明の媒体識別情報記録の別の例のレーザ出力波形図の一例で、(１)は、媒体識別情報を作成する際のレーザ出力波形図、(２)は、相変換工程の際のレーザ出力波形図、(３)は、媒体識別情報と相変換工程とを同時に行う場合のレーザ出力波形図
【図１２】  本発明の媒体識別情報記録方法の別の例を示す流れ図
【図１３】  同記録方法の流れ図
【図１４】  従来例の媒体識別情報ＢＣＡ記録方法のタイミングチャートを示す図
【図１５】  （ａ）は、本発明の記録装置の変調部の一例を示すブロック図、（ｂ）は、本発明の再生装置の復調部の一例を示すブロック図
【図１６】  （ａ）は、本発明の一例のＢＣＡのｎ＝１２，１８８バイトの時のデータ構成図、（ｂ）は、本発明の一例のＢＣＡのｎ＝１，１２バイトの時のデータ構成図
【図１７】  （ａ）は、本発明の一例のＢＣＡのｎ＝１，１２バイトの時のデータ構成図、（ｂ）は、本発明の一例のＢＣＡのｎ＝１，１２バイトの時のＥＣＣ演算するために０を付加した仮想的なデータ構成図
【図１８】  （ａ）は、本発明のＢＣＡの同期符号の一例を示すデータ構成図、（ｂ）は、本発明の一例のＢＣＡの固定同期パターンを示すデータ構成図
【図１９】  本発明の一例のＲＯＭ型ディスクの場合の変調信号を示す波形図
【図２０】  本発明の一例のＲＡＭ型ディスクの場合の変調信号を示す波形図
【図２１】  本発明のディスクのＢＣＡの位置の一例を示す上面図
【図２２】  本発明のディスクの成形工程とＢＣＡの記録工程の一例を示す工程図
【図２３】  本発明の一例ＢＣＡを用いてコンテンツを暗号化／復号化する記録再生装置のブロック図
【図２４】本発明の一例の記録再生装置のコンテンツを復号再生する場合のフローチャート図
【符号の説明】
１  光ディスク
２  モータ
３  回転制御部
４  光ピックアップ
５  レーザ駆動部
６  ＢＣＡ信号生成部
７  波形設定部
８  フォーカス制御部
９  送りモータ
１０  送りモータ制御部
１１  位置検出器
１２  システム制御系
１３  ネジ
１４  レーザ
１５  対物レンズ
１６  光検出器
１７  プリアンプ
１８  ボイスコイル
２１  透明基板
２２  誘電体層
２３  記録層
２４  誘電体層
２５  反射層
２６  記録膜
２７  樹脂保護層
２８  接着層
３１  主情報記録領域
３２  副情報記録領域
３３  ＢＣＡパターン
３４  半径位置
４１  立上げシーケンス
４２  ＢＣＡ記録シーケンス
４３  終了シーケンス
６１  光ビーム
７１  集光スポット
７２  光ピックアップの移動量
８１  ＢＣＡ記録制御系
８２  初期化制御系
８３  切換器
１０１  初期化シーケンス
１１１  レーザ出力
１２１  立上げシーケンス
１３１  初期化シーケンス
【図１】
0003812882.tif 000002
【図２】
0003812882.tif 000003
【図３】
0003812882.tif 000004
【図４】
0003812882.tif 000005
【図５】
0003812882.tif 000006
【図６】
0003812882.tif 000007
【図７】
0003812882.tif 000008
【図８】
0003812882.tif 000009
【図９】
0003812882.tif 000010
【図１０】
0003812882.tif 000011
【図１１】
0003812882.tif 000012
【図１２】
0003812882.tif 000013
【図１３】
0003812882.tif 000014
【図１４】
0003812882.tif 000015
【図１５】
0003812882.tif 000016
【図１６】
0003812882.tif 000017
【図１７】
0003812882.tif 000018
【図１８】
0003812882.tif 000019
【図１９】
0003812882.tif 000020
【図２０】
0003812882.tif 000021
【図２１】
0003812882.tif 000022
【図２２】
0003812882.tif 000023
【図２３】
0003812882.tif 000024
【図２４】
0003812882.tif 000025